(57)【要約】【課題】簡素な構成でろ過膜を効果的に逆洗可能な膜ろ過システムを提供する。【解決手段】両端面間で軸線方向に延在する通水孔および通水孔の周囲に位置する分離層を有する柱状のろ過膜と、内部空間にろ過膜が収容された容器とを有し、ろ過膜の通水孔内に供給した被処理水を分離層でろ過してろ過水を得るろ過装置を備える膜ろ過システムであって、ろ過膜を収容した容器は、ろ過膜の軸線を略鉛直方向に向けて設置され、容器の内部空間は、被処理水が流れる一次側領域と、ろ過水が流れる二次側領域とに区分され、加圧ガスを用いて二次側領域内に存在するろ過水を加圧し、加圧したろ過水を一次側領域へ流入させることによりろ過膜を逆洗する逆洗機構と、ろ過膜の上端面と内部空間の上端面との間に配設された、内部空間よりも小径のスペーサーとを更に備えることを特徴とする膜ろ過システムである。【選択図】図１
2014147919.tif 000002
【特許請求の範囲】
【請求項１】
両端面間で軸線方向に延在する通水孔および当該通水孔の周囲に位置する分離層を有する柱状のろ過膜と、内部空間に前記ろ過膜が収容された容器とを有し、前記ろ過膜の前記通水孔内に供給した被処理水を前記分離層でろ過してろ過水を得るろ過装置を備える膜ろ過システムであって、
前記ろ過膜を収容した容器は、ろ過膜の軸線を略鉛直方向に向けて設置され、
前記容器の前記内部空間は、前記被処理水が流れる一次側領域と、前記ろ過水が流れる二次側領域とに区分され、
加圧ガスを用いて前記二次側領域内に存在するろ過水を加圧し、加圧したろ過水を前記一次側領域へ流入させることにより前記ろ過膜を逆洗する逆洗機構と、
前記ろ過膜の上端面と前記内部空間の上端面との間に配設された、前記内部空間よりも小径のスペーサーと、
を更に備えることを特徴とする、膜ろ過システム。
【請求項２】
前記逆洗機構が、前記加圧したろ過水を複数回に分けて前記一次側領域へ流入させ、且つ、少なくとも一回目の前記一次側領域への流入量を、前記スペーサーの外周面と、当該スペーサーに対向する前記容器の内周面との間に存在するろ過水量以下とすることを特徴とする、請求項１に記載の膜ろ過システム。
【請求項３】
前記スペーサーが、前記ろ過膜側のスペーサー端部よりも外径が小さい縮径部を有することを特徴とする、請求項１または２に記載の膜ろ過システム。
【発明の詳細な説明】
【技術分野】
【０００１】
本発明は、膜ろ過システムに関し、特に、簡素な構成でろ過膜を効果的に逆洗可能な膜ろ過システムに関するものである。
【背景技術】
【０００２】
一般に、上水処理システム、下水処理システム、工業用水処理システム、排水処理システム、海水淡水化システムなどの各種水処理システムにおいて被処理水中の汚濁物質を分離除去する方法として、膜ろ過を用いた水処理方法が知られている。
【０００３】
ここで、膜ろ過を用いた水処理方法では、ろ過の継続に伴い、被処理水中の汚濁物質等がろ過膜に付着してろ過膜の目詰まり（ファウリング）が生じ、ろ過性能が低下（膜差圧が上昇）するため、定期的にろ過膜を逆流洗浄（以下「逆洗」という。）して目詰まりを解消する必要がある。
【０００４】
そのため、従来、ろ過膜を用いて被処理水をろ過する膜ろ過システムでは、定期的にろ過膜の二次側（ろ過水側）から一次側（被処理水側）へと逆洗水を通水することにより、ろ過膜の逆洗を行っている。具体的には、従来の膜ろ過システムでは、被処理水をろ過して得たろ過水等を逆洗水として使用し、逆洗ポンプを用いてろ過水をろ過膜に通水することにより、或いは、逆洗水槽に貯留したろ過水を空気等で加圧してろ過膜に通水することにより、ろ過膜の逆洗を行っている（例えば、特許文献１，２参照）。
【先行技術文献】
【特許文献】
【０００５】
【特許文献１】特開２００４−２４９２０４号公報
【特許文献２】特開２０１１−１８３３２０号公報
【発明の概要】
【発明が解決しようとする課題】
【０００６】
しかし、逆洗ポンプを使用して逆洗を行う膜ろ過システムや、逆洗水槽に貯留したろ過水を空気等で加圧して逆洗を行う膜ろ過システムでは、逆洗に使用する逆洗水（ろ過水等）を貯留しておくための逆洗水槽が必要であった。そのため、上記従来の膜ろ過システムには、逆洗水槽を不要として構成を簡素化するという点において改善の余地があった。
【０００７】
そこで、本発明者は、逆洗水槽を不要とすることを目的として鋭意検討を行った。そして、本発明者は、ろ過膜を収容している容器の容積、特に、容器内の、ろ過膜の二次側に位置する領域（以下「二次側領域」と称することがある。）の容積を調整することにより、ろ過膜の逆洗に必要な量のろ過水を二次側領域内に貯留し得るようにし、逆洗時には二次側領域内の水を空気等で加圧してろ過膜に通水することによりろ過膜の逆洗を行うことに着想した。このように、二次側領域内の水を使用して逆洗を実施すれば、逆洗水槽を不要とすることができる。
【０００８】
ここで、ろ過膜としては、例えば図６にその一部を切り欠いて示すような、被処理水が流入する蓮根状の通水孔３１を有するモノリス型のセラミック膜３０が使用されることがある。そして、蓮根状の通水孔３１を有するモノリス型のセラミック膜３０では、例えば通水孔３１に流入した被処理水が各通水孔３１の表面に位置する分離層（図示せず）でろ過され、ろ過水が外周面３２から流出する。
【０００９】
しかし、モノリス型のセラミック膜のような、両端面間に亘って延在する通水孔と、通水孔の表面に位置する分離層とを有する柱状のろ過膜を用いた膜ろ過システムにおいてろ過膜の逆洗に必要な量のろ過水を二次側領域内に確保し、二次側領域内のろ過水を空気等で加圧して逆洗を行うことについて本発明者が更に検討を進めた結果、通水孔内を一次側とする柱状のろ過膜を用いた膜ろ過システムでは、以下の問題が生じることが明らかとなった。
即ち、図７（ａ）に示すように、通水孔９１と分離層とを有する柱状のろ過膜９２を、ろ過膜９２と略等しい長さの内部空間を有する容器９３の内部に収容し、通水孔９１の延在方向が設置面に対して略鉛直になるように縦置きすると、二次側領域９４内のろ過水を空気等で加圧して逆洗を行った際に、図７（ｂ）に示すように経時的に二次側領域９４内のろ過水の水位が低下するため、ろ過膜９２の上部を十分に洗浄することができないという問題が生じることが明らかとなった。
【００１０】
そこで、本発明は、通水孔と、通水孔の表面に位置する分離層とを有する柱状のろ過膜を用いた膜ろ過システムであって、簡素な構成でろ過膜を効果的に逆洗可能な膜ろ過システムを提供することを目的とする。
【課題を解決するための手段】
【００１１】
この発明は、上記課題を有利に解決することを目的とするものであり、本発明の膜ろ過システムは、両端面間で軸線方向に延在する通水孔および当該通水孔の周囲に位置する分離層を有する柱状のろ過膜と、内部空間に前記ろ過膜が収容された容器とを有し、前記ろ過膜の前記通水孔内に供給した被処理水を前記分離層でろ過してろ過水を得るろ過装置を備える膜ろ過システムであって、前記ろ過膜を収容した容器は、ろ過膜の軸線を略鉛直方向に向けて設置され、前記容器の前記内部空間は、前記被処理水が流れる一次側領域と、前記ろ過水が流れる二次側領域とに区分され、加圧ガスを用いて前記二次側領域内に存在するろ過水を加圧し、加圧したろ過水を前記一次側領域へ流入させることにより前記ろ過膜を逆洗する逆洗機構と、前記ろ過膜の上端面と前記内部空間の上端面との間に配設された、前記内部空間よりも小径のスペーサーとを更に備えることを特徴とする。このように、二次側領域内に存在するろ過水を加圧ガスで加圧して逆洗に使用すれば、逆洗水槽を不要として膜ろ過システムの構成を簡素化することができる。また、内部空間よりも小径のスペーサーをろ過膜の上部に設ければ、加圧ガスを用いて逆洗を行った場合であっても、二次側領域内ではスペーサーの周囲の部分から水位が低下する。従って、逆洗初期にはろ過膜の周囲にろ過水が存在する状態でろ過膜を逆洗することができるので、ろ過膜全体を効果的に逆洗することができる。
なお、本発明において、「略鉛直方向」には、本発明の効果が得られる範囲内で鉛直方向に対して傾斜した方向、例えば、鉛直方向に対する角度が１５°以下の方向も含まれる。そして、本発明において「ろ過膜の軸線を略鉛直方向に向けて設置する」には、ろ過膜の軸線が鉛直方向に沿って延びるように設置することと、本発明の効果が得られる範囲内でろ過膜の軸線が鉛直方向に対して例えば１５°以下の角度で傾斜して延びるように設置することとが含まれる。
【００１２】
ここで、本発明の膜ろ過システムは、前記逆洗機構が、前記加圧したろ過水を複数回に分けて前記一次側領域へ流入させ、且つ、少なくとも一回目の前記一次側領域への流入量を、前記スペーサーの外周面と、当該スペーサーに対向する前記容器の内周面との間に存在するろ過水量以下とすることが好ましい。加圧したろ過水を複数回に分けて一次側領域に流入させ、且つ、少なくとも一回目の流入量をスペーサーと容器の内周面との間に存在するろ過水量以下とすれば、二次側領域内のろ過水の水位が一回目の通水時にろ過膜の上端位置まで低下することがない。従って、ろ過膜の外周面に対して均一に圧力をかけた状態でろ過水を複数回通水させ、ろ過膜全体をより効果的に逆洗することができる。
【００１３】
そして、本発明の膜ろ過システムは、前記スペーサーが、前記ろ過膜側のスペーサー端部よりも外径が小さい縮径部を有することが好ましい。スペーサーに縮径部を設ければ、スペーサーの外周面と、スペーサーに対向する容器の内周面との間に存在するろ過水の量を増加させて、ろ過膜全体を更に効果的に逆洗することができる。
【発明の効果】
【００１４】
本発明によれば、通水孔と、通水孔の表面に位置する分離層とを有する柱状のろ過膜を用いた膜ろ過システムであって、簡素な構成でろ過膜を効果的に逆洗可能な膜ろ過システムを提供することができる。
【図面の簡単な説明】
【００１５】
【図１】本発明に従う代表的な膜ろ過システムの概略構成を示す図である。
【図２】図１に示す膜ろ過システムのろ過膜およびろ過膜が収容された容器の要部構成を示す拡大断面図であり、（ａ）はろ過膜および容器の上部の構成を示し、（ｂ）はろ過膜および容器の下部の構成を示す。
【図３】（ａ）〜（ｃ）は、図１に示す膜ろ過システムにおいてろ過膜を逆洗した際の二次側領域内の水位の変動を説明する説明図である。
【図４】図１に示す膜ろ過システムのスペーサーの変形例をろ過膜および容器と共に示す図である。
【図５】変形例の膜ろ過システムの概略構成を示す図である。
【図６】モノリス型のセラミック膜の構造を、セラミック膜の一部を切り欠いて示す説明図である。
【図７】ろ過膜と略等しい長さの容器の内部に柱状のろ過膜を収容して用いた膜ろ過システムにおいてろ過膜を逆洗した際の二次側領域内の水位の変動を説明する説明図であり、（ａ）は逆洗開始直前の状態を示し、（ｂ）は逆洗開始後の状態を示す。
【発明を実施するための形態】
【００１６】
以下、本発明の実施の形態を、図面に基づき詳細に説明する。なお、各図において同一の符号を付したものは、同一の構成要素を示すものとする。
【００１７】
本発明の膜ろ過システムは、特に限定されることなく、上水処理、下水処理、工業用水処理、排水処理、海水淡水化などの各種水処理において被処理水中の汚濁物質を分離除去する際に用いることができる。
【００１８】
ここで、図１に、本発明の膜ろ過システムの一例の概略構成を示す。図１に示す膜ろ過システム１００は、被処理水を貯留する被処理水槽１０と、容器２０の内部にろ過膜３０を収容してなるろ過装置とを備えている。そして、この膜ろ過システム１００では、被処理水槽１０中の被処理水をろ過装置のろ過膜３０でろ過してろ過水を得る。
【００１９】
被処理水槽１０は、被処理水ライン１１を介してろ過装置の容器２０の下部と接続されている。そして、被処理水槽１０内に貯留された被処理水は、被処理水ライン１１に設けられた被処理水ポンプ１２を用いて容器２０内へと送水され、ろ過膜３０でろ過される。
なお、被処理水ライン１１の、被処理水ポンプ１２と容器２０との間には、被処理水弁１３が設けられている。また、被処理水ライン１１の、被処理水弁１３と容器２０との間からは、逆洗排水ライン７０が分岐して延びている。そして、逆洗排水ライン７０には、逆洗排水弁７１が設けられている。
【００２０】
容器２０は、円筒状の容器本体の下端部を２枚の仕切り板２２，２３で液密に閉止し、容器本体の上端部を２枚の仕切り板２５，２６で液密に閉止したものである。ここで、仕切り板２２と仕切り板２３との間には第１共通流路２４が形成されている。また、仕切り板２５と仕切り板２６との間には第２共通流路２７が形成されている。そして、第１共通流路２４には被処理水ライン１１が接続されており、第２共通流路２７にはエアーブロー用加圧空気ライン８０および水張りライン８２が接続されている。また、容器本体の上部には、ろ過水ライン５０が接続されている。
なお、ろ過水ライン５０には、ろ過水弁５１が設けられており、エアーブロー用加圧空気ライン８０には、エアーブロー用加圧空気弁８１が設けられており、水張りライン８２には、水張り弁８３が設けられている。更に、ろ過水ライン５０の、容器２０とろ過水弁５１との間からは、逆洗用加圧空気ライン６０が分岐して延びており、逆洗用加圧空気ライン６０には、逆洗用加圧空気弁６１が設けられている。
【００２１】
そして、容器２０は、容器２０の軸線が鉛直方向と平行になるように設置されている。また、容器２０の内部空間２１（仕切り板２２と仕切り板２５との間の空間）には、図示例では３本のろ過膜３０が収容されている。より具体的には、内部空間２１には、３本のろ過膜３０と、各ろ過膜３０の上部に液密に取り付けられたスペーサー４０とが収容されている。
なお、本発明の膜ろ過システムでは、容器としては、ろ過膜を液密に収容可能な任意の容器を用いることができる。また、本発明の膜ろ過システムでは、容器は、軸線が鉛直方向に対して傾斜するように設置してもよい。
【００２２】
ここで、ろ過膜３０としては、柱状で、且つ、両端面間で軸線方向に延在する通水孔と当該通水孔の周囲に位置する分離層とを有するろ過膜を用いることができる。具体的には、ろ過膜３０としては、特に限定されることなく、図６に示すようなセラミックろ過膜を用いることができる。
【００２３】
図６に示すろ過膜３０は、円柱状で、両端面間に亘って軸線方向に延在する複数の通水孔３１と、通水孔３１の表面に位置する分離層（図示せず）とを有するモノリス型のセラミックろ過膜である。そして、ろ過膜３０では、通水孔３１に流入した被処理水が、各通水孔３１の表面に位置する分離層でろ過されて外周面３２から流出する。
なお、ろ過膜３０は、図示例では、ろ過膜３０の軸線が鉛直方向と平行になるように設置されている。即ち、膜ろ過システム１００では、ろ過膜３０およびろ過膜３０を収容した容器２０は、ろ過膜３０の軸線が鉛直方向と平行になるように設置されている。因みに、本発明の膜ろ過システムでは、ろ過膜は、軸線が鉛直方向に対して傾斜するように設置してもよい。
【００２４】
スペーサー４０は、ろ過膜３０の上端面と、容器２０の内部空間２１の上端面（図示例では仕切り板２５）との間に配設されている。また、スペーサー４０の外径は、容器２０の内径、即ち内部空間２１の直径よりも小さい。なお、スペーサー４０は、ろ過膜３０とは異なり、非透水部材である。
【００２５】
そして、スペーサー４０は、図２（ａ）に軸線方向に沿う断面を示すように、筒状で、ろ過膜３０に接続される大径部４１と、大径部４１の上側（ろ過膜３０とは反対側）に位置して外径および内径が上側に向かって漸減するテーパー部４２と、テーパー部４２の上側に位置する小径部４３とを備えている。即ち、スペーサー４０は、ろ過膜３０側のスペーサー端部（大径部４１）よりも外径が小さい縮径部（テーパー部４２および小径部４３）を有している。
【００２６】
ここで、図２（ａ）に示すように、スペーサー４０とろ過膜３０との接続は、特に限定されることなく、スペーサー４０の大径部４１の内周面に形成した段差にパッキン４５を配置し、スペーサー４０に対してろ過膜３０を圧入することにより行うことができる。具体的には、スペーサー４０の大径部４１の内周面の下端側にパッキン４５の厚さよりも小さい段差を形成し、当該段差に、ろ過膜３０の端面の外周縁部およびろ過膜３０の外周面上端部を覆う略環状のパッキン４５を配置した状態でろ過膜３０をスペーサー４０の大径部４１に圧入することにより、ろ過膜３０の通水孔３１内とスペーサー４０内とを連通させつつ、スペーサー４０とろ過膜３０とを液密に接続することができる。なお、図２（ａ）に示すように、パッキン４５の、ろ過膜３０の外周面およびスペーサー４０の大径部４１の内周面と接触する部分には、シール性を向上するための環状凸部を形成してもよい。
【００２７】
また、図２（ａ）に示すように、スペーサー４０と仕切り板２５との接続は、特に限定されることなく、スペーサー４０の小径部４３の外周面に形成した環状凹部４４にＯリング４６を配置し、仕切り板２５に形成した孔に小径部４３を圧入することにより行うことができる。このように、Ｏリング４６を配置した状態で仕切り板２５の孔に小径部４３を圧入することにより、スペーサー４０内と第２共通流路２７内とを連通させつつ、スペーサー４０と仕切り板２５とを液密に接続することができる。
【００２８】
なお、容器２０の下端側に位置する仕切り板２２と、ろ過膜３０との接続は、特に限定されることなく、図２（ｂ）に示すように、仕切り板２２に形成した孔の周囲に段差を形成し、当該段差に、ろ過膜３０の端面の外周縁部およびろ過膜３０の外周面下端部を覆う略環状のパッキン４７を配置した状態でろ過膜３０を段差上に戴置することにより行うことができる。このように、パッキン４７を配置した状態で仕切り板２２の孔の上にろ過膜３０を戴置することにより、ろ過膜３０の通水孔３１内と第１共通流路２４内とを連通させつつ、ろ過膜３０と仕切り板２２とを液密に接続することができる。
【００２９】
即ち、互いに液密に接続されたろ過膜３０およびスペーサー４０は、仕切り板２２および仕切り板２５に対して液密に接続されている。そのため、ろ過膜３０の通水孔３１に被処理水を通水してろ過を行う場合、容器２０の内部空間２１は、ろ過膜３０およびスペーサー４０により、被処理水が流れる一次側領域（通水孔３１内およびスペーサー４０内）と、ろ過水が流れる二次側領域（ろ過膜３０の分離層よりも容器２０の内周面側に位置する部分）とに区分される。
【００３０】
そして、この膜ろ過システム１００では、被処理水をろ過してろ過水を得る場合には、図１に示すように、被処理水弁１３およびろ過水弁５１を開き、逆洗用加圧空気弁６１、逆洗排水弁７１、エアーブロー用加圧空気弁８１および水張り弁８３を閉じた状態で被処理水ポンプ１２を運転する。そして、被処理水ライン１１および第１共通流路２４を介してろ過膜３０の通水孔３１内に流入した被処理水をろ過膜３０の分離層（図示せず）でろ過する。なお、分離層でろ過されてろ過膜３０の外周面から流出したろ過水は、容器２０内の二次側領域を流れ、ろ過水ライン５０から流出する。
なお、上記では被処理水をデッドエンドろ過する場合について説明したが、この膜ろ過システム１００では、被処理水をクロスフローろ過してもよい。
【００３１】
ここで、被処理水のろ過を継続すると、被処理水中の汚濁物質等がろ過膜に付着してろ過膜の目詰まりが生じ、ろ過性能が低下する。そこで、この膜ろ過システム１００では、所定時間毎に、或いは、ろ過膜３０の差圧が所定値以上まで上昇した際に、被処理水弁１３、ろ過水弁５１、逆洗用加圧空気ライン６０、逆洗用加圧空気弁６１、逆洗排水ライン７０、逆洗排水弁７１およびエアーブロー用加圧空気弁８１を逆洗機構として使用して、ろ過膜３０を逆洗する。なお、逆洗時の各弁やポンプの動作は、図示しない制御装置を用いて制御することができる。
【００３２】
具体的には、最初に、図３（ａ）に示すように、被処理水ポンプ１２を停止し、被処理水弁１３、ろ過水弁５１、逆洗排水弁７１、エアーブロー用加圧空気弁８１および水張り弁８３を閉じた状態で逆洗用加圧空気弁６１を開き、加圧ガスとしての逆洗用加圧空気を用いて容器２０の二次側領域内に存在するろ過水を加圧する。
次に、図３（ｂ），（ｃ）に示すように、逆洗排水弁７１を開き、二次側領域内の加圧したろ過水をろ過膜３０の通水孔３１（一次側領域）内へ流入させて、ろ過膜３０を逆洗する。
なお、二次側領域内のろ過水を用いた逆洗が終了した後は、任意に、逆洗用加圧空気弁６１を閉じ、エアーブロー用加圧空気弁８１を開いてエアーブロー用加圧空気をろ過膜３０の通水孔３１内に流し、通水孔３１内をエアーブロー用加圧空気で更に洗浄してもよい。因みに、エアーブロー用加圧空気を用いたろ過膜３０の洗浄が終了した後は、例えば、逆洗排水弁７１およびエアーブロー用加圧空気弁８１を閉じ、被処理水弁１３および水張り弁８３を開いた状態で被処理水ポンプ１２を運転させ、一次側領域内の空気を水張りライン８２から抜いて一次側領域に被処理水を満たしてから被処理水のろ過を再開することができる。
【００３３】
ここで、この膜ろ過システム１００では、ろ過膜３０の逆洗に使用するろ過水を貯留する逆洗水槽が設けられておらず、容器２０の近傍に配置された逆洗用加圧空気ライン６０を介して逆洗用加圧空気を供給することにより、実質的に容器２０の二次側領域内に存在するろ過水のみを使用してろ過膜３０を逆洗している。因みに、二次側領域内に存在するろ過水のみを使用してろ過膜を十分に逆洗する観点からは、二次側領域の容積は、ろ過膜面積１ｍ２当たり０.５Ｌ以上確保することが好ましく、２Ｌ以上確保することが更に好ましい。
なお、本発明において、「実質的に容器の二次側領域内に存在するろ過水のみを使用してろ過膜を逆洗する」とは、逆洗水槽を設けることなく、二次側領域内に存在する水と、逆洗用加圧空気を供給する際に不可避的に二次側領域内に流入するろ過水ライン中のろ過水とを用いてろ過膜を逆洗することを指す。
【００３４】
従って、この膜ろ過システム１００では、逆洗水槽を不要として膜ろ過システム１００の構成を簡素化することができるが、図３（ｂ），（ｃ）に示すように、この膜ろ過システム１００では、逆洗を開始すると、逆洗開始直後（例えば、逆洗開始から１秒以内）に容器２０の二次側領域内に空気（加圧ガス）が流入する。そして、二次側領域内の空気が流入した部分では、順次、通水孔３１（一次側領域）内にろ過水が流れなくなる。
【００３５】
しかしながら、この膜ろ過システム１００では、ろ過膜３０の上部にスペーサー４０を配設しているので、逆洗の開始直後に空気が二次側領域内に流れ込んでも、二次側領域内の水位がスペーサー４０の周囲の部分から低下する。そのため、膜ろ過システム１００では、逆洗開始直後の二次側領域内のろ過水の水位を所定の時間だけろ過膜３０の上端位置よりも鉛直方向上方に位置させ、ろ過膜３０全体を均一かつ効果的に逆洗することができる。
【００３６】
また、この膜ろ過システム１００では、スペーサー４０が、テーパー部４２および小径部４３よりなる縮径部を有しているので、スペーサー４０の外径を軸線方向に一定とした場合と比較して、スペーサー４０の半径方向外側に位置する内部空間２１の体積を増加させることができる。従って、スペーサー４０の外周面と、スペーサー４０に対向する容器２０の内周面との間に存在するろ過水の量を増加させ、二次側領域内のろ過水の水位がろ過膜３０の上端位置よりも鉛直方向上方に位置する時間を長くして、ろ過膜３０全体を更に効果的に逆洗することができる。
【００３７】
更に、この膜ろ過システム１００では、二次側領域内に逆洗用加圧空気が流入する位置（即ち、図示例ではろ過水ライン５０と容器２０との接続位置）が、容器２０の上部であり、且つ、スペーサー４０に対向している。従って、逆洗用加圧空気が流入する位置を容器２０の下部にした場合と比較して、二次側領域内での空気の流れにより通水孔３１内へのろ過水（逆洗水）の流れが邪魔されることがない。また、逆洗用加圧空気が流入する位置をろ過膜３０の外周面に対向させた場合と比較して、ろ過膜３０の外周面への空気の吹き付けにより通水孔３１内へのろ過水（逆洗水）の流入が邪魔されることがない。
【００３８】
なお、加圧したろ過水を一度に通水孔３１（一次側領域）内へと流入させた場合、ろ過膜３０内での目詰まりの度合いの分布などに起因して、通水孔３１内で目詰まりの原因物質（閉塞物質）が均一に剥離しない場合がある。
そこで、膜ろ過システム１００では、ろ過膜全体をより効果的に逆洗する観点から、加圧したろ過水を複数回に分けて通水孔３１（一次側領域）に流入させることが好ましく、少なくとも一回目の流入量をスペーサー４０と容器２０の内周面との間に存在するろ過水量以下とすることが更に好ましい。ろ過水を複数回に分けて通水孔３１に流入させれば、一度目のろ過水の流入では剥離しなかった閉塞物質を二度目以降のろ過水の流入で剥離させることができるからである。また、一回目の流入量をスペーサー４０と容器２０の内周面との間に存在するろ過水量以下とすれば、二次側領域内のろ過水の水位が一回目の通水時にろ過膜３０の上端位置（図３（ｂ）に示す位置）まで低下することがない。従って、ろ過膜３０の外周面に対して均一に圧力をかけた状態でろ過水を２回以上通水させ、ろ過膜全体をより効果的に逆洗することができるからである。
因みに、加圧したろ過水は、例えば、制御装置を用いて逆洗排水弁７１の開閉を制御することにより、或いは、逆洗排水弁７１の開閉をタイマー制御することにより、複数回に分けて通水孔３１に流入させることができる。
【００３９】
以上、一例を用いて本発明の膜ろ過システムについて説明したが、本発明の膜ろ過システムは、上記一例に限定されることはなく、本発明の膜ろ過システムには、適宜変更を加えることができる。
【００４０】
具体的には、上記一例の膜ろ過システム１００では、スペーサーとして、筒状で、縮径部（テーパー部４２および小径部４３）を有するスペーサー４０を用いたが、本発明の膜ろ過システムでは、図４に示すように、スペーサー４０Ａは、縮径部を有していなくてもよく、また、中実体であってもよい。なお、スペーサー４０Ａが中実体の場合には、ろ過膜３０の上側の端面はスペーサー４０Ａで閉止されるので、ろ過水はデッドエンドろ過される。
【００４１】
また、上記一例の膜ろ過システム１００では柱状のろ過膜３０を３本用いたが、本発明の膜ろ過システムでは、使用するろ過膜の本数は３本に限定されることはなく、１本であってもよいし、複数本であってもよい。なお、例えば複数本のろ過膜を容器内に配置する場合には、容器の形状および容器内でのろ過膜の配置位置は任意の形状および位置とすることができる。具体的には、複数本のろ過膜は、直方体状の容器中に、平面視一直線上に位置するように配置してもよいし、円筒状の容器中に、平面視円周線上または平面視放射線上に位置するように配置してもよい。更に、本発明の膜ろ過システムでは、二次側領域内に薬品を添加するラインを設けて薬品添加逆洗（ＣＥＢ：Chemical Enhanced Backwash）を実施してもよい。
【００４２】
更に、上記一例の膜ろ過システム１００では一つの容器２０内に複数本の柱状のろ過膜３０を収容したが、本発明の膜ろ過システムでは、図５に示すように、１本のろ過膜を収容した容器２０を複数個設けてもよい。なお、逆洗水槽を設置し、逆洗用加圧空気を用いて逆洗水槽内の水を加圧して逆洗を行うと、１本のろ過膜を収容した容器を複数個設けた膜ろ過システムでは、配管内の圧力損失等に起因して全てのろ過膜を均一に洗浄することができず、容器間でろ過膜の洗浄度合いに差が生じることがある。しかし、本発明に従う膜ろ過システム１００Ａでは、逆洗用加圧空気を流入させる位置（逆洗用加圧空気ライン６０）が容器２０に近く、且つ、実質的に各容器の二次側領域内のろ過水のみを使用して逆洗を行うので、各容器２０内のろ過膜を均一に逆洗することができる。
【産業上の利用可能性】
【００４３】
本発明によれば、通水孔と、通水孔の表面に位置する分離層とを有する柱状のろ過膜を用いた膜ろ過システムであって、簡素な構成でろ過膜を効果的に逆洗可能な膜ろ過システムを提供することができる。
【符号の説明】
【００４４】
１０  被処理水槽
１１  被処理水ライン
１２  被処理水ポンプ
１３  被処理水弁
２０  容器
２１  内部空間
２２，２３  仕切り板
２４  第１共通流路
２５，２６  仕切り板
２７  第２共通流路
３０  ろ過膜（セラミック膜）
３１  通水孔
３２  外周面
４０  スペーサー
４１  大径部
４２  テーパー部
４３  小径部
４４  環状凹部
４５  パッキン
４６  Ｏリング
４７  パッキン
５０  ろ過水ライン
５１  ろ過水弁
６０  逆洗用加圧空気ライン
６１  逆洗用加圧空気弁
７０  逆洗排水ライン
７１  逆洗排水弁
８０  エアーブロー用加圧空気ライン
８１  エアーブロー用加圧空気弁
８２  水張りライン
８３  水張り弁
９１  通水孔
９２  ろ過膜
９３  容器
９４  二次側領域
１００  膜ろ過システム
４０Ａ  スペーサー
１００Ａ  膜ろ過システム
【図１】
2014147919.tif 000003
【図２】
2014147919.tif 000004
【図３】
2014147919.tif 000005
【図４】
2014147919.tif 000006
【図５】
2014147919.tif 000007
【図６】
2014147919.tif 000008
【図７】
2014147919.tif 000009